(57)【要約】【課題】少量の湯水で足湯又は腰湯を行うことに着目し、使用者の身体に簡単に装着でき、足湯又は腰湯を簡易かつ効率良く行うことができる足湯器具又は腰湯器具を提供し、特に少量の温泉水を利用して足湯又は腰湯を手軽に行うことを目的とする。【解決手段】湯水（温泉水）を内部に充填できる足部１１と、上方に延びる筒状部１２とを備えてなる左右一対のブーツ型本体部１０を形成し、筒状部１２は使用者の膝上位まで挿入できる長さに設定し、筒状部１２の上部開口部１３の下位に内部湯水（温泉水）の漏出を防止する締め付け手段３０を設け、足部１１に内部湯水（温泉水）を加熱して湯温を調整できる加熱装置２０を取り付けた。【選択図】図１
0003131608.tif 000002
【実用新案登録請求の範囲】
【請求項１】
湯水を内部に充填できる足部と上方に延びる筒状部とを備えてなる左右一対のブーツ型本体部を形成し、前記筒状部は使用者の膝上位まで挿入できる長さに設定し、前記筒状部の上部開口部の下位に内部湯水の漏出を防止する締め付け手段を設け、前記足部に内部湯水を加熱して湯温を調整できる加熱装置を取り付けたことを特徴とする身体装着用の足湯器具。
【請求項２】
湯水を内部に充填できる足部と上方に延びる筒状部とを備えてなる左右一対のブーツ部を形成すると共に前記ブーツ部の上方に腰から背中までを覆う胴体部を形成し、前記胴体部の上方に使用者の肩に吊られる吊りバンドを有するボディスーツ型本体部を形成し、前記胴体部は使用者の脇下位まで挿入できる長さに設定し、前記胴体部の上部開口部の下位に風呂水の侵入を防止する締め付け手段を設けると共に前記ボディスーツ型本体部の数箇所に水圧による内部湯水の移動を抑止する締め付け手段を設け、前記足部に排水弁を有する排水口を形成したことを特徴とする身体装着用の腰湯器具。
【請求項３】
請求項２に記載の身体装着用の腰湯器具に接続する再生温水器を備えた構成からなり、前記ボディスーツ型本体部の内部に充填されている湯水を前記再生温水器によって濾過・加熱・滅菌処理することにより再利用することを特徴とする身体装着用の腰湯器具。
【考案の詳細な説明】
【技術分野】
【０００１】
本考案は、使用者の身体に簡単に装着し、足湯又は腰湯を簡易かつ効率良く行うことができ、特に少量の温泉水を利用して足湯又は腰湯を手軽に行うことができる足湯器具又は腰湯器具に関する。
【背景技術】
【０００２】
従来から、足湯は、足の血液の循環を良くし更には全身の血行を良くし健康の維持・改善に効果があることから一般的に普及している。特に、冷え性の人などにとっては、血行を良くするために何回も浴槽にお湯を満たして入浴するのも非経済的であることから、以下に示すように家庭等において利用できる足湯に関連する器具の提案がなされている。
【０００３】
実用新案登録第３１１４９５１号公報には、不使用時に容易に折り畳んで場所をとることなく保管でき、電熱ヒーターを使用することなく湯温をある程度一定に保つことができる「足湯セット」が開示されている（特許文献１）。
【０００４】
特開２００４−３３５１０号公報には、お湯の刺激感のない脚温浴ができ、使い勝手の良い「脚温浴器」が開示されている（特許文献２）。
【０００５】
実用新案登録第３１０４０７０号公報には、足湯に於いて、流れてくる湯を綺麗に保たせ何処の場所に入っても気持ちよく安心して入ることができる「温泉施設及び温泉利用による医療施設に於ける足湯用ケース」が開示されている（特許文献３）。
【０００６】
ところで、これらの足湯に関連する器具では、お湯を充填した容器内に両足を同時に挿入して使用するものであるため、容器自体の大きさに比例して充填するお湯の量も多量になる。また、腰湯に関しては、従来の足湯に増して多量のお湯を必要とすることから、現在のところ適切な器具が提案されていない。
一方、温泉水には、一般的に言われている薬効効果があるため、毎日継続して温泉水につかれば足湯又は腰湯の効果が相乗的に高まることが期待でき、しかも垂れ流しで捨てられている温泉水の有効活用を図ることができれば経済的な効果も期待できる。
【０００７】
【特許文献１】実用新案登録第３１１４９５１号公報
【特許文献２】特開２００４−３３５１０号公報
【特許文献３】実用新案登録第３１０４０７０号公報
【考案の開示】
【考案が解決しようとする課題】
【０００８】
そこで、本考案は、少量の湯水で足湯又は腰湯を行うことに着目し、使用者の身体に簡単に装着でき、足湯又は腰湯を簡易かつ効率良く行うことができる足湯器具又は腰湯器具を提供し、特に少量の温泉水を利用して足湯又は腰湯を手軽に行うことを目的とする。
【課題を解決するための手段】
【０００９】
上記課題を解決するために、請求項１に記載の考案（身体装着用の足湯器具）は、湯水を内部に充填できる足部と上方に延びる筒状部とを備えてなる左右一対のブーツ型本体部を形成し、前記筒状部は使用者の膝上位まで挿入できる長さに設定し、前記筒状部の上部開口部の下位に内部湯水の漏出を防止する締め付け手段を設け、前記足部に内部湯水を加熱して湯温を調整できる加熱装置を取り付けた構成を採用したのである。
【００１０】
また、請求項２に記載の考案（身体装着用の腰湯器具）は、湯水を内部に充填できる足部と上方に延びる筒状部とを備えてなる左右一対のブーツ部を形成すると共に前記ブーツ部の上方に腰から背中までを覆う胴体部を形成し、前記胴体部の上方に使用者の肩に吊られる吊りバンドを有するボディスーツ型本体部を形成し、前記胴体部は使用者の脇下位まで挿入できる長さに設定し、前記胴体部の上部開口部の下位に風呂水の侵入を防止する締め付け手段を設けると共に前記ボディスーツ型本体部の数箇所に水圧による内部湯水の移動を抑止する締め付け手段を設け、前記足部に排水弁を有する排水口を形成した構成を採用したのである。
【００１１】
また、請求項３に記載の考案（身体装着用の腰湯器具）は、請求項２に記載の身体装着用の腰湯器具に接続する再生温水器を備えた構成からなり、前記ボディスーツ型本体部の内部に充填されている湯水を前記再生温水器によって濾過・加熱・滅菌処理することにより再利用することを特徴とする。
【考案の効果】
【００１２】
以上のように、本考案の身体装着用の足湯器具によれば、左右一対のブーツ型本体部の内部に湯水を充填するようにしたので、使用者の身体に簡単に装着でき、少量の湯水で足湯を簡易かつ効率良く行うことができる。
【００１３】
また、本考案の身体装着用の腰湯器具によれば、ボディスーツ型本体部の内部に湯水を充填するようにしたので、使用者の身体に簡単に装着でき、少量の湯水で腰湯を簡易かつ効率良く行うことができる。
さらに、身体装着用の腰湯器具に接続する再生温水器を備えることにより、湯水を濾過・加熱・滅菌処理し安心して再利用することができる。
【考案を実施するための最良の形態】
【００１４】
以下、本考案の実施の一形態について、図１乃至図４に基づいて説明する。なお、本考案では、少量の温泉水を利用して足湯又は腰湯を手軽に行うことを目的とするため、温泉水を利用した例について説明する。また、本考案の身体装着用の足湯器具又は腰湯器具は、以下の実施形態に限定されるものではなく、各構成内容については、使用状況等によって適宜変更することができる。
【００１５】
図１は、本考案の身体装着用の足湯器具の一例を示す断面図である。
足湯器具は、温泉水を内部に充填できる足部１１と、その上方に延びる筒状部１２とを備えてなる左右一対のブーツ型本体部１０から形成される。ブーツ型本体部１０の材質は、ゴム又は樹脂を採用することが適しているが、これらに限定されるものではなく防水性を有し且つ容易に破れない材質であればよい。
筒状部１２は、使用者の膝上位まで挿入できる長さに設定しておくのが好ましい。また、図１に示すように、筒状部１２の上部開口部１３の下方領域は、内部に充填された温泉水が漏出するのを防止するゴムバンド又は紐などの締め付け手段３０により挟持せしめて使用者の身体に密着させるようにする。
【００１６】
足部１１の底部には、図１に示すように、加熱装置２０が取り付けられており、足湯を行う際に内部に充填された温泉水を加熱して湯温を調整することができる。加熱装置２０は、例えば、ヒーターと電源（図示省略）から構成され、ヒーターのＯＮ・ＯＦＦ作動はタイマー等によって自動的に制御されるようにする又はＯＮ・ＯＦＦスイッチによって使用者が操作するようにしてもよい。
【００１７】
図２は、身体装着用の足湯器具の使用状態を示す説明図である。
以下、本考案の身体装着用の足湯器具の使用方法の一例について説明する。
（１）左右のブーツ型本体部１０の各内部に適量且つ適温の温泉水を入れる（使用者が足を挿入した状態において温泉水が溢れ出ない程度の量で足りる）。
（２）各筒状部１２の上部開口部１３の下方領域にゴムバンド又は紐などの締め付け手段３０を取り付けて使用者の足に密着させる。
（３）各加熱装置２０を作動させて内部温泉水の温度を適温に調整しながら足湯を行う。
以上のように、本考案の身体装着用の足湯器具は、使用者の身体に簡単に装着でき、少量の温泉水で足湯を簡易かつ効率良く行うことができる。
【００１８】
図３は、本考案の身体装着用の腰湯器具の一例を示す説明図である。
腰湯器具は、温泉水を内部に充填できる足部４１と、その上方に延びる筒状部４２とを備えてなる左右一対のブーツ部と、その上方に腰から背中までを覆う胴体部４３と、胴体部４３の上方に使用者の肩に吊られる吊りバンド４５を有するボディスーツ型本体部４０から形成される。ボディスーツ型本体部４０の材質は、ゴム又は樹脂を採用することが適しているが、これらに限定されるものではなく防水性を有し且つ容易に破れない材質であればよい。
胴体部４３は、使用者の脇下位まで挿入できる長さに設定しておくのが好ましい。また、図３に示すように、胴体部４３の上部開口部の下方領域は、風呂水の侵入を防止する締め付け手段５０により挟持せしめて使用者の身体に密着させるようにする。さらに、ボディスーツ型本体部４０の数箇所に水圧による内部温泉水の移動を抑止する締め付け手段５１、５２を設けておくことが好ましい。図３に示す締め付け手段５０、５１、５２は、ボディスーツ型本体部４０と一体的に取り付けられたゴムバンドと紐の両方からなる締め付け手段の一例を示しているが、これに限定されるものではなくゴムバンド又は紐のいずれか一方からなる締め付け手段であってもよい。
【００１９】
ボディスーツ型本体部４０の足部４１の足先部分には、図３に示すように、排水弁６１を有する排水口６０が形成されている。このように排水口６０を設けることにより、ボディスーツ型本体部４０の内部に充填された温泉水の排水が容易になり、使用時におけるボディスーツ型本体部４０の着脱が簡単にできるようになる。
【００２０】
ボディスーツ型本体部４０の胴体部４３の上部背面には、図４に示すように、吸水弁を有する吸水口７０を形成してもよい。このように、吸水口７０を設けることにより、使用時においてボディスーツ型本体部４０を身体に装着した状態でも温泉水の吸水が容易になる。
【００２１】
また、腰湯器具は、上述したボディスーツ型本体部４０からなる身体装着用の腰湯器具とそれに接続する再生温水器を備えた構成を採用することができる。
再生温水器１００は、温泉水を濾過・加熱・滅菌処理する機能を有する処理部と、処理前の温泉水を蓄える取水部と処理後の温泉水を蓄える吸水部を備えた装置を採用するのが好ましい（図４参照）。
ここで、滅菌処理については、９０℃以上の高温において熱処理して滅菌する方法が一般的である。また、最近研究開発が進められている「ナノバブル（泡の直径が２００ｎｍ以下で長期安定性を持った微小気泡）」を利用した滅菌処理方法（気泡が崩壊する時に発生する多量のエネルギーを利用した方法）を採用することも検討できる。
【００２２】
図４は、身体装着用の腰湯器具の使用状態を示す説明図である。
以下、本考案の身体装着用の腰湯器具の使用方法の一例について説明する。
（１）ボディスーツ型本体部４０を使用者の身体に装着させる。
（２）再生温水器１００に接続した吸水パイプ１１１を介して吸水口７０から内部に適量且つ適温の温泉水を入れる（温泉水が溢れ出ない程度の量で足りる）。
（３）胴体部４３の上部開口部の下方領域を締め付け手段５０により締め付けて使用者の身体に密着させるようにする。また、ボディスーツ型本体部４０の数箇所を締め付け手段５１、５２により締め付ける。
（４）（３）の状態の下で、浴槽の中の適温のお湯（真水）につかりながら腰湯を行う。
（５）腰湯を止める際は、締め付け手段５１、５２を開放し、排水弁６１を開いて排水口６０から排水パイプ１１０を介して接続された再生温水器１００に使用済みの温泉水を戻した後、ボディスーツ型本体部４０を脱衣する。
（６）再生温水器１００を作動させて、使用済み温泉水を濾過・加熱・滅菌処理しておく。
以上のように、本考案の身体装着用の腰湯器具は、使用者の身体に簡単に装着でき、少量の温泉水で腰湯を簡易かつ効率良く行うことができ、身体装着用の腰湯器具に接続する再生温水器を備えることにより、温泉水を濾過・加熱・滅菌処理し安心して再利用することができる。
【図面の簡単な説明】
【００２３】
【図１】本考案の身体装着用の足湯器具の一例を示す断面図である。
【図２】身体装着用の足湯器具の使用状態を示す説明図である。
【図３】本考案の身体装着用の腰湯器具の一例を示す説明図である。
【図４】身体装着用の腰湯器具の使用状態を示す説明図である。
【符号の説明】
【００２４】
１０  ブーツ型本体部
１１  足部
１２  筒状部
１３  上部開口部
２０  加熱装置
３０  締め付け手段
４０  ボディスーツ型本体部
４１  足部
４２  筒状部
４３  胴体部
４４  上部開口部
４５  吊りバンド
５０、５１，５２  締め付け手段
６０  排水口
６１  排水弁
７０  吸水口
１００  再生温水器
１１０  排水パイプ
１１１  吸水パイプ
【図１】
0003131608.tif 000003
【図２】
0003131608.tif 000004
【図３】
0003131608.tif 000005
【図４】
0003131608.tif 000006